(57)【要約】【課題】  暴風雨時でも下地材への水の浸入を防止し得る耐水圧が高い合決りタイルを提供する。【解決手段】  上下左右に隣接するタイル同士のアンダーラップ部とオーバーラップ部を合決り接合して並設可能なタイルであって、上辺アンダーラップ部に突状の水返しを設けた。さらに、一方辺アンダーラップ部の表側にも突状の水返しを設ける。また、アンダーラップ部およびオーバーラップ部は、その重ね合わせられる接合部において少なくとも一の段差を有する階段状に形成される。さらにまた、上辺アンダーラップ部及び下辺アンダーラップ部は、タイル基部から勾配部を介して形成される。また、上辺アンダーラップ部の中央に切欠を設けると共に、一方辺アンダーラップ部の裏面に前記切欠と係合可能な爪を設けることもある。【選択図】        図１
2006169887.tif 000002
【特許請求の範囲】
【請求項１】
タイル基部と、該タイル基部の上辺及び左右辺の何れか一方辺それぞれに形成されるアンダーラップ部と、前記タイル基部の下辺及び左右辺の何れか他方辺それぞれに形成され、前記アンダーラップ部と同形状のオーバーラップ部とからなり、上下左右に隣接するタイル同士の上記アンダーラップ部とオーバーラップ部を合決り接合して並設可能なタイルであって、上辺アンダーラップ部に突状の水返しを設けたことを特徴とするタイル。
【請求項２】
さらに一方辺アンダーラップ部の表側にも突状の水返しを設けた請求項１記載のタイル。
【請求項３】
アンダーラップ部およびオーバーラップ部は、その重ね合わせられる接合部において少なくとも一の段差を有する階段状に形成される請求項１または２記載のタイル。
【請求項４】
上辺アンダーラップ部及び下辺アンダーラップ部は、タイル基部から勾配部を介して形成される請求項１または２記載のタイル。
【請求項５】
上辺アンダーラップ部の中央に切欠を設けると共に、一方辺アンダーラップ部の裏面に前記切欠と係合可能な爪を設けた請求項１から４のうち何れか一項記載のタイル。
【請求項６】
上辺アンダーラップ部の裏面上縁に下地横桟と係止可能な係止片を突設した請求項１から５のうち何れか一項記載のタイル。
【請求項７】
タイル基部の裏面に凹陥部を設けた請求項１から６のうち何れか一項記載のタイル。
【発明の詳細な説明】
【技術分野】
【０００１】
この発明は、タイル基部の上辺及び一側辺それぞれにアンダーラップ部（裏実）が、またタイル基部の下辺及び他の一側辺それぞれには前記アンダーラップ部と同形状のオーバーラップ部（表実）が形成され、アンダーラップ部にオーバーラップ部を重ね合わせるように複数を上下左右に並設して壁や屋根、床等を構築する合決り接合可能なタイルに係り、より詳しくは目地から雨水等が下地材に浸入することをより確実に防止し得る構造に関するものである。
【背景技術】
【０００２】
従来から、壁材や床材等の内外装材として使用する合決り接合構造のタイルおよびその施工方法は公知である（例えば、特許文献１〜４を参照）。
【０００３】
その代表的な構造を壁材として使用するタイルにならって説明すると、該タイル構造は四辺のうち上辺および右辺にアンダーラップ部が形成され、下辺および左辺にはオーバーラップ部が形成されたものである。そして、該タイルを用いて外壁を構築するには、所定ピッチに立設された柱および間柱に適宜防水シートを介して胴縁柱を取り付け、下地材（柱、間柱または胴縁柱）にアンダーラップ部を釘着すると共に、該アンダーラップ部に他のタイルのオーバーラップ部を重ね合わせ、当該工程を繰り返すことによって外壁を構築するものである。
【０００４】
このように当該合決り構造のタイルによれば、その施工の際、アンダーラップ部にオーバーラップ部を重ね合わせて上下左右に並設していくため、通常の雨天時には縦目地・横目地とも防水性に優れるという利点がある。ただし、強風雨では、多少の水が目地から浸入することもあるが、それが外壁や屋根であれば重力や流水勾配によって水は下方に流れようとするため、浸入した水の大半はアンダーラップ部とオーバーラップ部の接合部を越えられず、タイル裏側の下地材にまで多量の水が到達することがない。
【０００５】
【特許文献１】実開昭５４−５５１１９号公報
【特許文献２】実開平７−７１３３３号公報
【特許文献３】特開平７−６２８３０号公報
【特許文献４】特開２００３−２０７７１号公報
【発明の開示】
【発明が解決しようとする課題】
【０００６】
ところで、暴風雨など、あらゆる方向から勢いをもって連続的に水が吹き付けられる環境下では、その水圧の大きさから目地に比較的多量の水が浸入しやすく、さらに浸入した水は暴風にあおられ、重力や流水勾配に逆らうような挙動を示すことがある。このような場合、従来の合決りタイルはオーバーラップ部とアンダーラップ部の接合面が平坦に形成されているため、目地から浸入した水は暴風にあおられるまま、目地側に引き返すこともなく、アンダーラップ部とオーバーラップ部の接合部（重合部）を簡単に越えて、下地材へと到達してしまう。これを回避するために、目地にコーキング処理を施すことも考えられるが、それでは合決りタイルの施工性の良さが没却され、手間が増えるばかりで、意味をなさない。
【０００７】
本発明は、上述した課題を解決するためになされたもので、その目的とするところは、暴風雨時でも下地材への水の浸入を防止し得る耐水圧が高い合決りタイルを提供することである。
【課題を解決するための手段】
【０００８】
上記目的を達成するために本発明では、タイル基部と、該タイル基部の上辺及び左右辺の何れか一方辺それぞれに形成されるアンダーラップ部と、前記タイル基部の下辺及び左右辺の何れか他方辺それぞれに形成され、前記アンダーラップ部と同形状のオーバーラップ部とからなり、上下左右に隣接するタイル同士の上記アンダーラップ部とオーバーラップ部を合決り接合して並設可能なタイルであって、上辺アンダーラップ部に突状の水返しを設けるという手段を用いた。上辺アンダーラップ部に設けた水返しは、主に横目地から浸入した水を堰き止めると共に、一方辺へ水を誘導するための通水路を形成する機能を発揮する。
【０００９】
また、請求項２では、さらに一方辺アンダーラップ部の表側にも突状の水返しを設けるという手段を選択的に用いることとした。この水返しも、主に縦目地から浸入した水を堰き止める点で、上辺アンダーラップに設けたものと同一の機能を有する。ただし、本発明タイルにより壁や屋根を構築した場合、当該一方辺のアンダーラップ部は、合決り接合時に上下方向に連通し、重力や流水勾配によって水は自ずと下方に流れ出るため、これを補完するために、より好適な構成として一方辺アンダーラップ部にも水返し採用するものである。この点、重力や流水勾配によっては排出不能な上辺アンダーラップ部に関して、本発明では水返しを必須とする。
【００１０】
請求項３では、アンダーラップ部およびオーバーラップ部を、その重ね合わせられる接合部において少なくとも一の段差を有する階段状に形成するという手段を用いた。この手段によれば、段差によって目地から浸入した水の水圧を減少させるから防水性が高まり、結果として水返しまで水を到達させないか、その水量を大幅に減らすことができる。
【００１１】
請求項４では、上辺アンダーラップ部及び下辺アンダーラップ部を、タイル基部から勾配部を介して形成するという手段を用いた。この手段において勾配部は、上辺アンダーラップ部と下辺アンダーラップ部との合決り接合部の手前に流水勾配を構成する。従って、横目地から浸入した水の排水性を高めると共に、前記合決り接合部の防水性も高まる。
【００１２】
請求項５では、上辺アンダーラップ部の中央に切欠を設けると共に、一方辺アンダーラップ部の裏面に前記切欠と係合可能な爪を設けるという手段を用いた。この手段によれば、爪を切欠に係合するようにタイルを並設することにより、千鳥模様の内外装材を構築することができる。
【００１３】
請求項６では、上辺アンダーラップ部の裏面上縁に下地横桟と係止可能な係止片を突設するという手段を用いる。この手段によれば、係止片によってタイルの位置決めを容易に行うことができる。
【００１４】
また、請求項７では、タイル基部の裏面に凹陥部を設けることとしたので、凹陥部の容積分だけタイルの軽量化を図ることができ、タイルをプレス加工によって製造する場合には凹陥部の容積分を勾配部に適用することができ、材料の合理化が図られる。
【発明の効果】
【００１５】
上述したように本発明では、上下左右に隣接するタイル同士のアンダーラップ部とオーバーラップ部を合決り接合することで本来的に防水性が高いタイルにおいて、上辺アンダーラップ部および一方辺アンダーラップ部に突状の水返しを設けることにより、さらに防水性を高めることができた。また、上辺アンダーラップ部と下辺オーバーラップ部の合決り接合部を階段状としたり、勾配部を形成したので、上辺アンダーラップ部における水返しへの水の到達量を大幅に減少させ、さらに防水性を高めることができた。また、上辺アンダーラップ部の中央に切欠を設けると共に、一方辺アンダーラップ部の裏面に前記切欠と係合可能な爪を設けることで、通常の格子状に施工できる他、千鳥状にも施工できるから、バリエーションに富んだ内外装材を構築することができるようになった。さらに、上辺アンダーラップ部の上縁裏面に係止片を設けたタイルにあっては、下地横桟に対する位置決めが容易であり、施工の短縮化・合理化を図ることができる。さらに、タイル基部の裏面に凹陥部を設けたタイルにあっては、タイルの軽量化と勾配部の製造容易化を同時に実現することができる。
【発明を実施するための最良の形態】
【００１６】
以下、本発明の好ましい実施の形態を添付した図面に従って説明する。図１は本発明の第一の実施形態に係るタイルＴの全体斜視図であって、（ａ）は表側斜視図、（ｂ）は裏側斜視図である。このタイルＴは、タイル基部１の上辺及び右辺にアンダーラップ部２・３を形成すると共に、下辺および左辺にはオーバーラップ部４・５を形成してなる。従来技術と同様にアンダーラップ部２・３とオーバーラップ部４・５は左右上下に合決りにより並設可能な構造を有する。
【００１７】
このような基本的構造を有するタイルにおいて、本発明の特徴点を説明すると、上辺アンダーラップ部２の上縁から端縁にかけて突状の水返し６が形成されている。さらに、右辺アンダーラップ部３にも前記水返し６と連続する突状の水返し７が上下方向に形成されている。当該構成によれば、目地から浸入した水は、水返し６・７によって堰き止められ、タイルＴの裏側に水が回ってしまうことを防ぐことができる。なお、この実施形態において右辺アンダーラップ部３の下端を開放したのは、当該タイルＴを壁や屋根などに使用する場合、右辺アンダーラップ部３に浸入した水は重力や流水勾配によって下方へと流出するからである。ただし、床材など平らな内外装材として使用する場合は、右辺アンダーラップ部３の下端にも水返しを構築してもよい。
【００１８】
図１中、８は上辺オーバーラップ部２の上縁裏面に設けた係止片であり、後述するように本タイルＴによる内外装構築時に位置決めのため下地横桟と係止するものである。また、９はタイル基部１の裏面に設けた凹陥部であり、該凹陥部９によりタイルＴの軽量化が図られる。
【００１９】
図２は、本発明の第二の実施形態に係るタイルの縦断面図を示したものであり、当該実施形態では上辺アンダーラップ部２と下辺オーバーラップ部４には同形状の段差１０を設け、両者２・４を階段状に形成している。このように上辺アンダーラップ部２と下辺オーバーラップ部４を階段状とすることで、目地から浸入した水は段差１０によってさらなる浸入が阻まれ、結果として水返し６に到達する水量を大幅に減少させることができる。なお、この実施形態では段差１０の数を一つとしたが、二段以上であってもよく、段数が増せば、より防水効果が高まることはもちろんである。
【００２０】
図３は、第三の実施形態に係る本発明タイルであって、タイル基部１と上辺アンダーラップ部２との間に勾配部１１を設けると共に、タイル基部１と下辺オーバーラップ部４との間にも前記勾配部１１と同形状の勾配部１２を設けたものである。当該構成によれば、勾配部１１・１２は流水勾配を有することになり、目地から浸入した水の排出機能が高まると共に、その角度から吹き上げる雨水以外は、その奥の上辺アンダーラップ部２と下辺オーバーラップ部４の接合部に到達しないという作用を行う。つまり、勾配部１１・１２と同じ角度で、長時間、大量の水が吹き上げられることなど現実的にあり得ないから、実質上の防水効果は高い。
【００２１】
図４は、第四の実施形態に係る本発明タイルである。当該タイルの基本構造は第三実施形態に示したものと同じであり、タイル基部１と上辺アンダーラップ部２および下辺オーバーラップ部４の間にはそれぞれ勾配部１１・１２を形成している。そこで、この実施形態に係るタイルの特徴を述べると、上辺アンダーラップ部２の表側に切欠１３を設けると共に、下辺オーバーラップ部４には上記切欠１３と係合可能な爪１４を設けている。さらに、この実施形態では、右辺アンダーラップ部３の下方に水返し７と同じ幅の係合凹部１５を形成しており、後述する通常の格子葺きの際、上下方向の関係にあるタイルについて水返し７を寸断することなく連続性を持たせるようにしている。さらに、当該格子葺きの際、右辺アンダーラップ部３上で爪１４が係合する切欠１６を上辺アンダーラップ部２と右辺アンダーラップ部３が交わる隅部に設けている。
【００２２】
なお、この実施形態では爪１４を勾配部１２と同じ角度で勾配させている。このため、切欠１３および１６も同じ勾配としているが、勾配とすることは必須ではなく、両者１４・１３若しくは１４・１６が係合する形状であればよい。
【００２３】
当該第四実施形態に係るタイルの施工態様を図５、図６に従って説明する。先ず、図５は、タイルをマトリックス状に葺いた通常の格子葺きであり、上下関係にあるタイルの右辺アンダーラップ部３同士が一直線状となるように葺いたものである。このとき下辺オーバーラップ部４に形成した爪１４は右辺アンダーラップ部３上で切欠１６と係合すると共に、下側に位置する右辺アンダーラップ部３の水返し７の上端が、上側に位置する右辺アンダーラップ部３の係合凹部１５と合致して、当該水返し７の連続性により、当該接合部における防水性が高まる。
【００２４】
一方、当該タイルでは、爪１４を上辺アンダーラップ部２に形成した切欠１３に係合することによって、図６に示したようにタイルを千鳥状に葺くことも可能である。従って、当該構成のタイルによれば、普通の格子葺きと千鳥葺きの双方の葺設態様が可能となり、バリエーションに富んだ内外装材を構築することができる。
【図面の簡単な説明】
【００２５】
【図１】本発明の第一実施形態に係るタイルの斜視図
【図２】本発明の第二実施形態に係るタイルの縦断面図
【図３】本発明の第三実施形態に係るタイルの縦断面図
【図４】本発明の第四実施形態に係るタイルの平面図
【図５】第四実施形態のタイルによる格子葺きを示した施工説明図
【図６】第四実施形態のタイルによる千鳥葺きを示した施工説明図
【符号の説明】
【００２６】
１  タイル基部
２  上辺アンダーラップ部
３  右辺アンダーラップ部
４  下辺オーバーラップ部
５  左辺オーバーラップ部
６・７  水返し
８  係止片
９  凹陥部
１０  段差
１１・１２  勾配部
１３・１６  切欠
１４  爪
１５  係止凹部
【図１】
2006169887.tif 000003
【図２】
2006169887.tif 000004
【図３】
2006169887.tif 000005
【図４】
2006169887.tif 000006
【図５】
2006169887.tif 000007
【図６】
2006169887.tif 000008